(57)【要約】【課題】天井の埋込穴に埋設されるダウンライトにおいて、埋込高さを抑えつつ、器具温度を低減する。【解決手段】ダウンライト１は、上面に天板９を有する器具本体２の内部に、この開口縁部を覆う枠体と一体成形された遮熱板３を備え、遮熱板３の上面に取付けられた補助天板１０を備える。この補助天板１０は、器具本体２の挿通口２１を横切って器具本体２より突出し、天板９と略同一面となるように配置されている。補助天板１０は、天板９と共に天井裏の断熱材２０を押し上げる。このように断熱材２０を押し上げる長さを長くすることにより、器具の埋め込み高さを高くすることなく、断熱材２０に覆われた部分の容積を広く確保することができる。これにより、ダウンライト１は、確保された空間にて放熱することができるため、器具温度の低減が可能となる。また、天板９と補助天板１０とは分けて施工されるので、埋込穴１９の径を変えずに施工することができる。【選択図】図１
2007095394.tif 000002
【特許請求の範囲】
【請求項１】
天井に形成された埋込穴に挿通して埋設され、下面に開口を有する器具本体と、前記器具本体の内部に設けられ、下面に開口を有する反射板と、発光部が前記反射板の内部に配置されたランプと、このランプを装着するソケットと、を備えるダウンライトにおいて、
前記器具本体の上面に設けられ、天井裏の断熱材を支持する天板と、
前記天板と略同一面に配置され、前記天板と異なる方向に前記器具本体より突出し、前記天板と共に断熱材を支持する補助天板と、を備えたことを特徴とするダウンライト。
【請求項２】
前記器具本体は、この器具本体を天井の埋込穴に挿通した後に前記補助天板を挿通するための挿通口を有することを特徴とする請求項１に記載のダウンライト。
【請求項３】
前記器具本体と前記反射板との間に、熱を遮蔽する遮熱板が配置され、
前記補助天板は、前記反射板又は前記遮熱板と一体に形成されていることを特徴とする請求項１に記載のダウンライト。
【請求項４】
前記器具本体は、前記開口を跨ぐ門型形状であることを特徴とする請求項２に記載のダウンライト。
【請求項５】
前記器具本体は、前記補助天板を挿通するための挿通口を有し、
前記補助天板は、前記器具本体の上部又は前記天板に取り付けられることを特徴とする請求項２に記載のダウンライト。
【請求項６】
前記補助天板は、前記器具本体の上部に設けられ、該補助天板をスライドさせることにより所定の位置に設置されることを特徴とする請求項１に記載のダウンライト。
【請求項７】
前記補助天板は、前記器具本体の上部に設けられ、該補助天板を回転させることにより所定の位置に設置されることを特徴とする請求項１に記載のダウンライト。
【請求項８】
前記ソケットは、取付状態において前記器具本体の挿通口を横切って、前記補助天板の下側に配置されることを特徴とする請求項３又は請求項５に記載のダウンライト。
【請求項９】
前記端子台は、前記補助天板に設けられていることを特徴とする請求項４又は請求項８に記載のダウンライト。
【請求項１０】
前記天板は、前記補助天板より長いことを特徴とする請求項１及至請求項９のいずれかに記載のダウンライト。
【発明の詳細な説明】
【技術分野】
【０００１】
本発明は、天井に埋設されるダウンライトに関する。
【背景技術】
【０００２】
従来から、この種のダウンライトは、例えば図１８に示すように、天井板１８に形成された埋込穴１９に埋設され、上面に天板９を有する器具本体２と、この器具本体２の内部に設けられた反射板４と、この反射板４の内部に発光部を配置されたランプ５と、このランプ５を装着するためのソケット６と、天板９の下面に配設され、ランプ５にソケット６を介して電源を供給するための端子台８とを備えたものがある。ここに、反射板４は、器具本体２にナット１４により取付けられている。ソケット６は、器具本体２の側面上部に設けられた挿通口３３と反射板４の側面上部に設けられ、ソケットパッキン１５を配設された挿通口４２を横切って取付けられている。室内の気密は、器具本体２の下面に設けられた開口の縁部を覆う枠体３２と器具本体２の下面の開口の縁部に設けられたつば部２２に配設された本体パッキン１２により確保されている。器具外郭や端子台８に差し込む電源電線の温度を低減するために、天板９により断熱材２０に覆われる部分の容積を広く確保するようにしている。
【０００３】
また、同様のダウンライトにおいて、器具本体の上部に天井裏の断熱材を支持する断熱材支持具を備え、この断熱材支持具は、器具本体より上方に突出するように配設されており、器具本体から上方への突出量を調節することが可能となっている。器具外郭や端子台に差し込む電源電線の温度を低減するために、断熱材支持具が断熱材を支持して器具本体の外面から断熱材までの距離を大きくすることにより断熱材に覆われる部分の容積を広く確保するようにしたものが知られている（特許文献１参照）。
【特許文献１】実開昭６２−１９１００２号公報
【発明の開示】
【発明が解決しようとする課題】
【０００４】
上述したような従来のダウンライトにおいて、前者の構造では、天板９は幅を埋込穴１９の径より小さくされ、断熱材に覆われる部分の容積を広く確保するために、天板９の長さが長くされる。この長い天板９を小口径の埋込穴１９より挿入するために、高い天井裏の埋め込み高さが必要となり、天井裏のスペースが狭い場所には設置できなかった。後者の特許文献１に示されるような構造では、天井裏の埋め込み高さに応じて断熱材支持具は、器具本体から上方への突出量を調節される。従って、天井裏の埋め込み高さが高いとき、断熱材支持材は、器具本体から上方に大きく突出する位置に固定され、器具本体の外面から断熱材までの距離を大きく確保できるため、断熱材に覆われる部分の容積を広く確保することができる。しかしながら、天井裏の埋め込み高さが低いときには、断熱材支持具は、器具本体から上方に小さく突出する位置に固定されるため、器具本体の外面から断熱材までの距離を大きく確保できず、断熱材に覆われる部分の容積を広く確保することが困難であった。
【０００５】
本発明は、上記従来の問題を解決するためになされたものであり、埋め込み高さを抑えつつ、器具温度を低減できるダウンライトを提供することを目的とする。
【課題を解決するための手段】
【０００６】
上記目的を達成するために請求項１の発明は、天井に形成された埋込穴に挿通して埋設され、下面に開口を有する器具本体と、器具本体の内部に設けられ、下面に開口を有する反射板と、発光部が反射板の内部に配置されたランプと、このランプを装着するソケットと、を備えるダウンライトにおいて、器具本体の上面に設けられ、天井裏の断熱材を支持する天板と、天板と略同一面に配置され、天板と異なる方向に器具本体より突出し、天板と共に断熱材を支持する補助天板と、を備えたものである。
【０００７】
請求項２の発明は、請求項１に記載のダウンライトにおいて、器具本体は、この器具本体を天井の埋込穴に挿通した後に補助天板を挿通するための挿通口を有する、
【０００８】
請求項３の発明は、請求項１に記載のダウンライトにおいて、器具本体と反射板との間に、熱を遮蔽する遮熱板が配置され、補助天板は、反射板又は遮熱板と一体に形成されているものである。
【０００９】
請求項４の発明は、請求項２に記載のダウンライトにおいて、器具本体は、開口を跨ぐ門型形状であるものである。
【００１０】
請求項５の発明は、請求項１に記載のダウンライトにおいて、器具本体は、補助天板を挿通するための挿通口を有し、補助天板は、器具本体の上部又は天板に取り付けられるものである。
【００１１】
請求項６の発明は、請求項１に記載のダウンライトにおいて、補助天板は、器具本体の上部に設けられ、該補助天板をスライドさせることにより所定の位置に設置されるものである。
【００１２】
請求項７の発明は、請求項１に記載のダウンライトにおいて、補助天板は、器具本体の上部に設けられ、該補助天板を回転させることにより所定の位置に設置されるものである。
【００１３】
請求項８の発明は、請求項３又は請求項５に記載のダウンライトにおいて、ソケットは、取付状態において前記器具本体の挿通口を横切って、補助天板の下側に配置されるものである。
【００１４】
請求項９の発明は、請求項４又は請求項８に記載のダウンライトにおいて、端子台は、補助天板に設けられているものである。
【００１５】
請求項１０の発明は、請求項１及至請求項９のいずれかに記載のダウンライトにおいて、天板は、補助天板より長いものである。
【発明の効果】
【００１６】
請求項１の発明によれば、取付状態において器具が天井裏の断熱材を押し上げる長さは、従来の天板のみのダウンライトに比べて、補助天板の長さが足されるため、器具長さ（天板と補助天板の長さを足した長さ）は、長くなり、断熱材に覆われた部分の容積を広く確保することができる。これにより、従来のように埋め込み高さを高くしなくても、確保された空間により放熱することができるため、器具温度の低減が可能となる。
【００１７】
請求項２の発明によれば、器具長さが長くても、天板と補助天板とは分けて施工されるため、小口径の埋込穴からでも施工可能となる。補助天板は、器具本体の挿通口に挿通されて天井裏の断熱材を支持する位置に配置できるため、補助天板を天井裏へ施工することが容易となる。
【００１８】
請求項３の発明によれば、補助天板は、反射板又は遮熱板と一体で器具本体に取り付けることが可能なため、施工工数の削減が可能となる。
【００１９】
請求項４の発明によれば、器具本体は埋込穴との干渉部分が軽減されるため、施工性の向上が図れる。また、器具本体への複雑な穴加工が不要となるため、部品加工工数の削減ができ、コストの低減が可能となる。
【００２０】
請求項５の発明によれば、補助天板は、器具本体及び天板と別部品であり、器具本体を施工後に補助天板を施工することが可能となるため、補助天板の長さを施工可能な限り長くすることができ、断熱材に覆われた部分の容積を広く確保することができる。これにより、器具温度の低減が可能となる。
【００２１】
請求項６の発明によれば、梱包時には補助天板を天板に収納することが可能となるため、梱包サイズの低減ができる。また、器具本体に補助天板のための挿通口が不要となるため、部品加工工数及びコストを削減することができる。
【００２２】
請求項７の発明によれば、梱包時には補助天板を天板に収納することが可能となるため、梱包サイズの低減ができる。また、器具本体に補助天板のための挿通口が不要となるため、部品加工工数及びコストを削減することができる。
【００２３】
請求項８の発明によれば、天板と異なる方向にソケットが配置されるため、天板への熱伝導を低減することができ、これにより、天板から器具本体への熱伝導も低減されるため、器具温度の低減が可能となる。
【００２４】
請求項９の発明によれば、ソケットと端子台間の配線が容易となり、組立工数の削減ができるため、コストの低減が可能となる。
【００２５】
請求項１０の発明によれば、補助天板の長さが天板より短いため、天板を埋設できる埋め込み高さであれば、確実に補助天板を施工することができ、施工性の向上が図れる。
【発明を実施するための最良の形態】
【００２６】
本発明の一実施の形態に係るダウンライトについて、図面を参照して説明する。図１は、実施形態１によるダウンライト１を示し、図２は、図１のＡ部を示す。図３は、一部分解したダウンライト１を示す。ダウンライト１は、天井板１８に形成された埋込穴１９に埋設され、下面の開口より室内に光を照射する照明器具である。ダウンライト１は、下面に開口を有する略円筒状の器具本体２を備え、この器具本体２の内部に熱を遮蔽する遮熱板３を備え、この遮熱板３の内部に下面に開口を有する略椀形状の反射板４を備える。ダウンライト１は、反射板４の内部にランプ５の発光部を配置し、このランプ５を装着するためのソケット６と、このソケット６を固定するソケット台７と、ランプ５にソケット６を介して電源を供給するための端子台８とをさらに備える。
【００２７】
器具本体２は、上面に略矩形板状の天板９を備え、側面上部に補助天板１０及びソケット６を挿通するための挿通口２１を有し、側面に外側へ突出した取付金具１１（図３参照）を有する。取付金具１１は、埋込穴１９を挿通するときには、器具本体２の内部に収納され、埋込穴１９を挿通して天井裏にあるとき、器具本体２の側面より外側へ突出する。器具本体２は、下面の開口縁部につば部２２を有し、このつば部２２は、全周を本体パッキン１２に覆われている。器具本体２は、埋込穴１９に埋設されると、取付金具１１と器具本体２のつば部２２により埋込穴１９の縁部の天井板１８を挟むことによって固定される。器具本体２は、内部上面より下方に突出するビス１３を有し、このビス１３に、遮熱板３、反射板４、ソケット台７及び補助天板１０が取り付けられ、ナット１４により固定される。天板９は、器具本体２の上面に長手方向一端部が取付けられ、該天板９の他端部は、器具本体２の挿通口２１を有する側と反する方向へ突出するように配置されている。この器具本体２より突出した天板９の端部の下面に端子台８が取付けられている。ダウンライト１が天井板１８に取り付けられたとき、天板９は、天井裏に施工された断熱材２０を押し上げる。
【００２８】
遮熱板３は、反射板４の外面を覆う遮熱本体３１と、この遮熱本体３１と連続的に設けられ、器具本体２の開口縁部を覆う枠体３２とから成る。遮熱板３は、側面上部にソケット６を挿通するための挿通口３３を有し、この遮熱板３の挿通口３３の縁部にソケットパッキン１５が配設され、このソケットパッキン１５により室内と天井裏との間が遮蔽されている。また、枠体３２は、器具本体２に配設された本体パッキン１２を覆い、枠体３２と天井板１８により本体パッキン１２を挟み込むことによっても室内と天井裏との間を遮蔽している。
【００２９】
反射板４は、下面の開口縁部につば部４１を有し、側面上部にソケット６を挿通するための挿通口４２を有する。
【００３０】
ソケット６は、反射板４の挿通口４２と、遮熱板３の挿通口３３、及び器具本体２の挿通口２１を横切って、器具本体２の垂直軸に対して所定の角度を成す状態にてソケット台７の一端部に取付けられている。ソケット６が取付けられているソケット台７の一端部は、遮熱板３の挿通口３３を有する側に突出するように配置されており、ソケット台７の他端部は、遮熱板３の上面に取付けられている。
【００３１】
補助天板１０は、略矩形状を成し、長手方向一方側が階段状に曲げられている。取付状態において、補助天板１０は、階段状に曲げられた側が遮熱板３の上面に取付けられ、器具本体２の挿通口２１を横切って器具本体２から突出するように配置される。また、補助天板１０の器具本体２より突出した部分は、天板９と略同一面となる。
【００３２】
気密パッキン１６は、器具本体２のビス１３に挿通された状態で器具本体２の内部上面に取付けられ、室内と天井裏との間を遮蔽している。
【００３３】
また、室内の気密は、遮熱板３と、本体パッキン１２と、ソケットパッキン１５、及び気密パッキン１６により室内と天井裏との間を遮蔽されることにより確保されている。
【００３４】
上記構成のダウンライト１の施工手順を次に説明する。天板９を器具本体２から突出した側より埋込穴１９に挿通させ、天井板１８と断熱材２０との間に天板９を挿入させる。天板９全体が天井板１８と断熱材２０との間に挿入され、器具本体２の上面が埋込穴１９を挿通したとき、器具本体２を上方に押し上げる。これにより、天板９が断熱材２０を押し上げる。器具本体２のつば部２２と取付金具１１により埋込穴１９の開口縁部の天井板１８を挟み、器具本体２を固定する。次に、ソケット６を遮熱板３の挿通口３３に挿通させる。遮熱板３の内部に反射板４を配置し、ソケット６を反射板４の挿通口４２に挿通させる。続いて、器具本体２の内部に突出したビス１３に、補助天板１０、ソケット６及びソケット台７を器具本体２の挿通口２１に挿通させつつ、補助天板１０、ソケット台７、遮熱板３及び反射板４をビス１３に取り付け、ナット１４をビス１３にねじ込み、固定する。最後に、ランプ５をソケット６に装着する。
【００３５】
上記のように構成されたダウンライト１において、補助天板１０の長さが天板９より短いため、天井裏のスペースが天板９を埋設できる埋め込み高さであれば、確実に補助天板１０を施工することができ、補助天板１０を遮熱板３又は反射板４と一体で器具本体２に施工することが可能なため、施工工数の削減が可能となる。
【００３６】
また、補助天板１０は、天板９と共に天井裏の断熱材２０を支持するため、従来の天板９のみのダウンライト１より器具長さが長くなり、器具高さを高くすることなく、断熱材２０に覆われた部分の容積を広く確保することができる。これにより、ダウンライト１は、広く確保された空間により放熱することができるため、器具外郭、造営材、接触部及び枠表面などの温度低減が可能となる。さらに、ソケット６は、天板９と異なる方向に配置されるため、ソケット６から天板９への熱伝導を低減することができる。これにより、天板９から器具本体２への熱伝導も低減されるため、さらに器具外郭温度の低減が可能となる。
【００３７】
図４は、実施形態２によるダウンライト１を示す。器具本体２は、下面の開口を跨ぐ門型状に形成され、この門型状の器具本体２の下面に外側へ突出するリング形状のつば部２２を有し、このつば部２２を覆うように本体パッキン１２が取り付けられ、器具本体２の側面部に外側へ突出するように取付金具１１を備える。その他の構成は実施形態１と同等の構成とされている。
【００３８】
上記のように構成されたダウンライト１において、器具本体２は、天井板１８の埋込穴１９との干渉部分を軽減されるため、施工性の向上が図れる。また、器具本体２への複雑な穴加工が不要となるため、部品加工工数の削減ができ、コストの低減が可能となる。
【００３９】
図５は、実施形態３によるダウンライト１を示し、図６は、分解したダウンライト１を示す。器具本体２は、天板９が突出している側の側面上部にソケット６を挿通するための挿通口２３を有し、器具本体２の上面に取付けられている天板９は、ソケット台７と一体に形成されている。遮熱板３と分離された補助天板１０は、略矩形状を成し、長手方向両端部に曲げ加工が施されることで強度が保たれている。この補助天板１０は、器具本体２の挿通口２１より突出するように器具本体２の上面内部に配置される。その他の構成は実施形態１と同等の構成とされている。
【００４０】
上記構成のダウンライト１の施工手順を次に説明する。器具本体２を天井板１８に形成された埋込穴１９に埋設する前に、ソケット６を器具本体２の挿通口２３に挿通し、天板９のソケット台７に取り付ける。実施形態１と同様の手順により器具本体２を天井板１８に形成された埋込穴２０に埋設し、器具本体２を器具本体２のつば部２２と取付金具１１により固定する。次に、補助天板１０を器具本体２の挿通口２１に挿通して、補助天板１０の長手方向一端部を器具本体２の内部に突出したビス１３に取り付け、このビス１３に気密パッキン１６を挿通する。その他の手順は実施形態１と同様の手順とする。
【００４１】
上記のように構成されたダウンライト１において、補助天板１０は、器具本体２を施工後に施工することが可能となるため、補助天板１０の長さを施工可能な限り長くすることができるため、断熱材２０に覆われた部分の容積を広く確保することができる。これにより、器具外郭、造営材、接触部及び枠表面などの温度の低減が可能となる。
【００４２】
図７は、実施形態４によるダウンライト１の器具本体２を示す。補助天板１０は、略矩形状を成し、長手方向両端部に曲げ加工が施されることで強度が保たれている。この補助天板１０は、天板９の上部に配置され、補助天板１０の下面に操作棒１７を有している。器具本体２の上面及び天板９には、長穴２４がＢ方向に形成されている。操作棒１７は、天板９及び器具本体２の上面に形成された長穴２４を貫通して器具本体２の内部に突出しており、操作棒１７を長穴２４に沿ってＢ方向に操作することにより補助天板１０を所定の位置までスライドさせる。その他の構成は実施形態１と同等の構成とされている。
【００４３】
上記構成のダウンライト１の施工手順を次に説明する。器具本体２を天井板１８に形成された埋込穴１９に埋設する前に、ソケットを器具本体２の挿通口２３に挿通し、天板９のソケット台７に取り付ける。図８に示すように、補助天板１０は、天板９の上部に配置されており、実施形態１と同様の手順により器具本体２を天井板１８に形成された埋込穴１９に埋設し、器具本体２を器具本体２のつば部２２と取付金具１１により固定する。次に、図９に示すように、補助天板１０より器具本体２の内部に突出した操作棒１７を操作して補助天板１０をＢ方向にスライドさせて所定の位置に配置する。その他の手順は実施形態１と同様の手順とする。また、補助天板１０を所定の位置までスライドさせないと、図１０に示すように、操作棒１７は、遮熱板３と反射板４とを器具本体２内部のビス１３に取り付けるときに干渉する。
【００４４】
上記のように構成されたダウンライト１において、梱包時に、補助天板１０は、天板９に収納されるため、梱包サイズの低減ができる。また、器具本体２は、補助天板１０を挿通させるための挿通口２１が不要となるため、部品加工工数の削減ができ、コストの低減が可能となる。
【００４５】
図１１は、実施形態５によるダウンライト１の器具本体２を示す。補助天板１０は、略矩形状を成し、天板９の上部に配置され、補助天板１０の下面に操作棒１７を有している。器具本体２の上面及び天板９には、円弧状の長穴２５が形成されている。操作棒１７は、天板９及び器具本体２の上面に形成された長穴２５を貫通して器具本体２の内部に突出しており、操作棒１７を長穴２５に沿ってＣ方向に操作することにより補助天板１０を所定の位置まで回転させる。その他の構成は実施形態１と同等の構成とされている。
【００４６】
上記構成のダウンライト１の施工手順を次に説明する。器具本体２を天井板１８に形成された埋込穴１９に埋設する前に、ソケット６を器具本体２の挿通口２３に挿通し、天板９のソケット台７に取り付ける。図１１に示すように、補助天板１０は、天板９の上部に配置されており、実施形態１と同様の手順により器具本体２を天井板１８に形成された埋込穴１９に埋設し、器具本体２を器具本体２のつば部２２と取付金具１１により固定する。次に、図１２に示すように、補助天板１０より器具本体２の内部に突出した操作棒１７を操作して補助天板１０をＣ方向に回転させて所定の位置に配置する。その他の手順は実施形態１と同様の手順とする。また、補助天板１０を所定の位置まで回転させないと、操作棒１７は、遮熱板３と反射板４とを器具本体２内部のビス１３に取り付けるときに干渉し、補助天板１０を所定の位置まで回転させたときのみ、図１３に示すように、操作棒１７は、遮熱板３の上面に設けられた穴３４に挿通される。
【００４７】
上記のように構成されたダウンライト１は、補助天板１０の移動方法において実施形態４のダウンライト１と異なるが、構成と梱包時の補助天板１０の配置は、実施形態４と同等であるため、実施形態４と同様の効果を得ることができる。
【００４８】
図１４は、実施形態６によるダウンライト１を示す。端子台８は、補助天板１０の器具本体２又は遮熱板３より突出した端部の下面に設けられている。その他の構成は実施形態１と同等の構成とされている。
【００４９】
上記のように構成されたダウンライト１において、ソケット６と端子台８間の配線が容易となり、組立工数の削減ができるため、コストの低減が可能となる。
【００５０】
次に、各種変形例を示す。図１５は、実施形態１又は実施形態２におけるダウンライト１の器具本体２の変形例を示す。ここに、器具本体２の挿通口２１は、天板９に対して水平面上で９０度回転した位置になるように設けられており、このように挿通口２１の位置は、天板９と異なる方向であればよい。
【００５１】
図１６は、実施形態４におけるダウンライト１の補助天板１０の変形例を示す。ここに、補助天板１０は、遮熱板３と一体形状とされている。図１７は、実施形態７におけるダウンライト１のソケット台７の変形例を示す。ここに、ソケット台７は、補助天板１０と一体成形されている。これにより、組立工数の削減ができ、コストの低減が可能となる。
なお、本発明は、上記各種実施形態の構成に限られず、発明の趣旨を変更しない範囲で種々の変形が可能である。
【図面の簡単な説明】
【００５２】
【図１】本発明の実施形態１に係るダウンライトの断面図。
【図２】図１のＡ部の拡大図。
【図３】本発明の実施形態２に係る一部分解されたダウンライトの分解斜視図。
【図４】本発明の実施形態３に係るダウンライトの斜視図。
【図５】本発明の実施形態４に係るダウンライトの斜視図。
【図６】分解された同ダウンライトの分解斜視図。
【図７】本発明の実施形態５に係るダウンライトの斜視図。
【図８】同ダウンライトの補助天板が移動前の器具本体の斜視図。
【図９】同ダウンライトの補助天板が移動中の器具本体の斜視図。
【図１０】同ダウンライトの補助天板が移動中の器具本体の断面図。
【図１１】本発明の実施形態６に係るダウンライトの補助天板が移動前の器具本体    の斜視図。
【図１２】同ダウンライトの補助天板が移動後の器具本体の斜視図。
【図１３】同ダウンライトの補助天板が移動後の器具本体の断面図。
【図１４】本発明の実施形態７に係るダウンライトの斜視図。
【図１５】本発明の実施形態１及び実施形態２に係る器具本体の変形例の斜視図。
【図１６】本発明の実施形態４に係る補助天板の変形例の分解斜視図。
【図１７】本発明の実施形態７に係るソケット台の変形例の斜視図。
【図１８】従来例のダウンライトの側断面図。
【符号の説明】
【００５３】
１  ダウンライト
２  器具本体
２１  挿通口
３  遮熱板
４  反射板
５  ランプ
６  ソケット
７  ソケット台
８  端子台
９  天板
１０  補助天板
１８  天井板
１９  埋込穴
２０  断熱材
【図１８】
2007095394.tif 000003
【図１】
2007095394.tif 000004
【図２】
2007095394.tif 000005
【図３】
2007095394.tif 000006
【図４】
2007095394.tif 000007
【図５】
2007095394.tif 000008
【図６】
2007095394.tif 000009
【図７】
2007095394.tif 000010
【図８】
2007095394.tif 000011
【図９】
2007095394.tif 000012
【図１０】
2007095394.tif 000013
【図１１】
2007095394.tif 000014
【図１２】
2007095394.tif 000015
【図１３】
2007095394.tif 000016
【図１４】
2007095394.tif 000017
【図１５】
2007095394.tif 000018
【図１６】
2007095394.tif 000019
【図１７】
2007095394.tif 000020
【手続補正書】
【提出日】平成18年3月28日(2006.3.28)
【手続補正１】
【補正対象書類名】明細書
【補正対象項目名】００１６
【補正方法】変更
【補正の内容】
【００１６】
請求項１の発明によれば、取付状態において器具が天井裏の断熱材を押し上げる長さは、従来の天板のみのダウンライトに比べて、補助天板の長さが足されるため、器具長さ（天板と補助天板の長さを足した長さ）は、長くなり、断熱材に覆われた部分の容積を広く確保することができる。これにより、従来のように埋め込み高さを高くしなくても、確保された空間により放熱することができるため、器具本体の温度低減が可能となる。
【手続補正２】
【補正対象書類名】明細書
【補正対象項目名】００２０
【補正方法】変更
【補正の内容】
【００２０】
請求項５の発明によれば、補助天板は、器具本体及び天板と別部品であり、器具本体を施工後に補助天板を施工することが可能となるため、補助天板の長さを施工可能な限り長くすることができ、断熱材に覆われた部分の容積を広く確保することができる。これにより、器具本体の温度低減が可能となる。
【手続補正３】
【補正対象書類名】明細書
【補正対象項目名】００２３
【補正方法】変更
【補正の内容】
【００２３】
請求項８の発明によれば、天板と異なる方向にソケットが配置されるため、天板への熱伝導を低減することができ、これにより、天板から器具本体への熱伝導も低減されるため、器具本体の温度低減が可能となる。
【手続補正４】
【補正対象書類名】明細書
【補正対象項目名】００３６
【補正方法】変更
【補正の内容】
【００３６】
また、補助天板１０は、天板９と共に天井裏の断熱材２０を支持するため、従来の天板９のみのダウンライト１より器具長さが長くなり、器具高さを高くすることなく、断熱材２０に覆われた部分の容積を広く確保することができる。これにより、ダウンライト１は、広く確保された空間により放熱することができるため、器具本体の温度低減が可能となる。さらに、ソケット６は、天板９と異なる方向に配置されるため、ソケット６から天板９への熱伝導を低減することができる。これにより天板９から器具本体２への熱伝導も低減されるため、さらに器具外郭温度の低減が可能となる。
【手続補正５】
【補正対象書類名】明細書
【補正対象項目名】００４１
【補正方法】変更
【補正の内容】
【００４１】
上記のように構成されたダウンライト１において、補助天板１０は、器具本体２を施工後に施工することが可能となるため、補助天板１０の長さを施工可能な限り長くすることができるため、断熱材２０に覆われた部分の容積を広く確保することができる。これにより、器具本体の温度低減が可能となる。
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
天井板に形成された埋込穴に挿通して埋設され、下面に開口を有する略円筒状の器具本体と、
前記器具本体の内部に設けられ、下面に開口を有する反射板と、
発光部が前記反射板の内部に配置されたランプと、
前記ランプを装着するソケットと、を備えるダウンライトにおいて、
前記器具本体の上面に設けられ、天井裏の断熱材を支持する天板と、
前記器具本体と前記反射板との間に配置され、熱を遮蔽する遮熱板と、
前記反射板又は遮熱板の上面に、前記反射板又は遮熱板と一体に形成された補助天板と、を備え、
前記器具本体には、前記補助天板が挿通される挿通口が開口され、
前記補助天板は、施工時に、前記反射板及び前記遮熱板が前記埋込穴に埋設された状態の器具本体に対して装着されることによって、前記挿通口を通って前記器具本体より突出され、前記天板と略同一高さにおいて断熱材を支持することを特徴とするダウンライト。
【請求項２】
前記ソケットは、取付状態において前記器具本体に開口された挿通口を横切って、前記補助天板の下側に配置されることを特徴とする請求項１に記載のダウンライト。
【請求項３】
前記ランプに前記ソケットを介して電源を供給するための端子台が、前記補助天板に設けられていることを特徴とする請求項２に記載のダウンライト。
【請求項４】
前記天板は、前記補助天板より長いことを特徴とする請求項１乃至請求項３のいずれか一項に記載のダウンライト。
【手続補正２】
【補正対象書類名】明細書
【補正対象項目名】０００６
【補正方法】変更
【補正の内容】
【０００６】
上記目標を達成するために請求項１の発明は、天井板に形成された埋込穴に挿通して埋設され、下面に開口を有する略円筒状の器具本体と、器具本体の内部に設けられ、下面に開口を有する反射板と、発光部が反射板の内部に配置されたランプと、前記ランプを装着するソケットと、を備えるダウンライトにおいて、器具本体の上面に設けられ、天井裏の断熱材を支持する天板と、器具本体と反射板との間に配置され、熱を遮蔽する遮熱板と、反射板又は遮熱板の上面に、反射板又は遮熱板と一体に形成された補助天板と、を備え、器具本体には、前記補助天板が挿通される挿通口が開口され、補助天板は、施工時に、反射板及び遮熱板が埋込穴に埋設された状態の器具本体に対して装着されることによって、挿通口を通って器具本体より突出され、天板と略同一高さにおいて断熱材を支持するものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項２の発明は、請求項１に記載のダウンライトにおいて、ソケットは、取付状態において前記器具本体に開口された挿通口を横切って、補助天板の下側に配置されるものである。
【手続補正１０】
【補正対象書類名】明細書
【補正対象項目名】００１４
【補正方法】変更
【補正の内容】
【００１４】
請求項３の発明は、請求項２に記載のダウンライトにおいて、前記ランプに前記ソケットを介して電源を供給するための端子台が、補助天板に設けられているものである。
【手続補正１１】
【補正対象書類名】明細書
【補正対象項目名】００１５
【補正方法】変更
【補正の内容】
【００１５】
請求項４の発明は、請求項１乃至請求項３のいずれか一項に記載のダウンライトにおいて、天板は、補助天板より長いものである。
【手続補正１２】
【補正対象書類名】明細書
【補正対象項目名】００１６
【補正方法】変更
【補正の内容】
【００１６】
請求項１の発明によれば、取付状態において器具が天井裏の断熱材を押し上げる長さは、従来の天板のみのダウンライトに比べて、補助天板の長さが足されるため、器具長さ（天板と補助天板の長さを足した長さ）は、長くなり、断熱材に覆われた部分の容積を広く確保することができる。これにより、従来のように埋め込み高さを高くしなくても、確保された空間により放熱することができるため、器具本体の温度低減が可能となる。また、天板と補助天板とは分けて施工されるため、小口径の埋込穴からでも施工可能となる。補助天板は、施工時に、反射板及び遮熱板が埋込穴に埋設された状態の器具本体に対して装着されることによって、挿通口を通って器具本体より突出されるので補助天板を天井裏へ施工することが容易となる。さらに、補助天板は、反射板又は遮熱板と一体に形成されているために、反射板及び遮熱板の器具本体への装着によって挿通口を挿通させることができ、施工工数の削減が可能となる。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
請求項２の発明によれば、ソケットは、取付状態において器具本体に開口された挿通口を横切って補助天板の下側に配置されるので、ソケットが天板の下側に配置される場合に比べて天板への熱伝導を低減することができ、ひいては天板の基端部が取付けられている器具本体の温度低減が可能となる。
【手続補正２０】
【補正対象書類名】明細書
【補正対象項目名】００２４
【補正方法】変更
【補正の内容】
【００２４】
請求項３の発明によれば、ソケットが補助天板の下側に配置され、端子台が補助天板に設けられるので、ソケットと端子台間の配線が容易となり、組立工数の削減ができるため、コストの低減が可能となる。
【手続補正２１】
【補正対象書類名】明細書
【補正対象項目名】００２５
【補正方法】変更
【補正の内容】
【００２５】
請求項４の発明によれば、補助天板の長さが天板より短いため、天板を埋設できる埋め込み高さであれば、確実に補助天板を施工することができ、施工性の向上が図れる。